(57)【要約】本発明は、熱交換器内のファウリングを検出及び／又は測定するための方法に関する。本方法によって、この熱交換器の壁（Ｐ）上に設置される抵抗器（Ｒ）の抵抗値（Ｒ１、Ｒ２）が、２つの異なる時点で測定され、これらの２つの時点で測定された値の関数に対応する測定値（Ｒ２：Ｒ１）が求められる。本方法は、抵抗器（Ｒ）が、それぞれが所定の持続時間にわたって保持される２つの電力レベル（Ｐ１、Ｐ２）を相次いで受け、第１の電力レベル（Ｐ１）が第２の電力レベル（Ｐ２）よりも低く、２つの抵抗値（Ｒ１、Ｒ２）の測定がそれぞれ、これらの２つの電力レベルを加えている間に実行されることを特徴とする。また、本発明は、熱交換器内のファウリングを検出及び／又は測定するための装置にも関し、本装置は、この熱交換器の壁（Ｐ）上に配置される抵抗器（Ｒ）と、この抵抗器（Ｒ）に一定の電力を送達する手段（１６）と、処理手段（１７）とを備え、これらの種々の手段が、本発明による方法を実施することができることを特徴とする。最後に、本発明は、上記方法又は上記装置の利用に関する。
2011524981.tif 000002
【特許請求の範囲】
【請求項１】
熱交換器内のファウリングを検出及び／又は測定するための方法であって、この交換器の壁（Ｐ）上に配置される抵抗器（Ｒ）の抵抗値（Ｒ１、Ｒ２）が２つの異なる時点で測定され、前記２つの時点で測定される前記抵抗値の関数である測定値が求められる方法において、前記抵抗器（Ｒ）は、それぞれが所定の持続時間にわたって保持される２つの電力レベル（Ｐ１、Ｐ２）を相次いで受け、第１の電力レベル（ＰＡ）は第２の電力レベル（Ｐ２）よりも低く、前記２つの抵抗値（Ｒ１、Ｒ２）の測定はそれぞれ、前記２つの電力レベルを加えている間に実行されることを特徴とする方法。
【請求項２】
前記第１の電力レベル（Ｐ１）は、前記第１の電力レベル（Ｐ１）を加える持続時間にわたって、ジュール効果によって引き起こされる熱流が前記交換器壁（Ｐ）に影響を及ぼすが、ファウリングの層（Ｅ）があるとしても前記ファウリングの層（Ｅ）には影響を及ぼさないように選択されることを特徴とする請求項１に記載の方法。
【請求項３】
前記第２の電力レベル（Ｐ２）は、ジュール効果によって引き起こされる熱流が、前記交換器壁（Ｐ）に影響を及ぼし且つ前記ファウリングの堆積物（Ｅ）があるなら前記ファウリングの堆積物（Ｅ）にも影響を及ぼすように選択されることを特徴とする請求項２に記載の方法。
【請求項４】
前記抵抗値の前記関数は、前記２つの電力レベルに対応する２つの相次ぐ時点で測定される抵抗値の差であることを特徴とする請求項１に記載の方法。
【請求項５】
請求項１〜４のいずれか一項に記載の方法で得られた前記測定値の差（Ｒ２−Ｒ１）がリアルタイムにモニタリングされることを特徴とする方法。
【請求項６】
前記抵抗器（Ｒ）に印加される電圧（Ｕ）は、前記抵抗器が与えられる前記電力（Ｐ１、Ｐ２）が所定の時間にわたって一定のままであるように、リアルタイムに調整されることを特徴とする請求項１〜５のいずれか一項に記載の方法。
【請求項７】
熱交換器内のファウリングを検出及び／又は測定するための装置において、この交換器の壁（Ｐ）上に配置される抵抗器（Ｒ）と、前記抵抗器（Ｒ）に一定の電力を供給する手段（１６）と、処理手段（１７）とを備え、前記種々の手段は、請求項１〜６のいずれか一項に記載の方法を実施することができることを特徴とする装置。
【請求項８】
前記抵抗器（Ｒ）は表面抵抗器であることを特徴とする請求項７に記載の装置。
【請求項９】
前記表面抵抗器（Ｒ）は、前記表面抵抗器（Ｒ）を前記交換器の形に合わせることができるようにする誘電体基板（１１）を有することを特徴とする請求項８に記載の装置。
【請求項１０】
前記表面抵抗器（Ｒ）は、コイル形の抵抗性回路（１２）を有することを特徴とする請求項７〜９のいずれか一項に記載の装置。
【請求項１１】
農業食品産業又は工業的な熱利用でのファウリングの検出及び／又は測定のための、請求項１〜６のいずれか一項に記載の方法又は請求項７〜１０のいずれか一項に記載の装置の利用。
【発明の詳細な説明】
【技術分野】
【０００１】
本発明は熱交換器内のファウリングの検出及び／又は測定に関連する。
【背景技術】
【０００２】
熱交換器内のファウリングの問題は、産業界において重要性を増している問題である。このファウリングを低減するために、数多くの研究が行われてきたが、現時点では大きく前進するには至っていない。
【０００３】
大きく２種類の産業上の利用によって、大きな問題が特に示されている。
【０００４】
第１の種類は農業食品産業であり、農業食品産業では、ファウリングを低減すること又はファウリングをより良好に管理することによって、作業時間が低減され、そして、それ故生産性が向上することになる。例えば、２回の清掃サイクル間での２時間の短縮は、最低でも１０％の生産性の向上に相当する。さらに、ファウリングの減少は、洗浄剤及び他のメンテナンス製品の消費量の減少に繋がる。最後に、ファウリングのより良好な管理は、より良好な工程管理を意味し、それ故、優れた製品品質を意味する。
【０００５】
第２の種類の利用は、特に化学工業ための、石油化学工業のための、そしてエネルギー生成（火力発電所及び原子力発電所）での工業用冷却である。これらのシステムの出力定格は実際に非常に高く、このことは、能力が低下することによって、生産量に直接の影響が及ぼされることを意味する。また、ファウリングは、熱交換容量の低下を必然的に引き起こし、それ故、これらのシステムにおいて過熱が起こる潜在的危険性を生じる。このことは、特に、極度に暑い天候の時期における原子力発電所の冷却の場合に当てはまる。
【０００６】
これらの２つの例の利用種類は、制限するものでないことは明らかであり、ファウリングの検出及び／又は測定が、他の産業界においてもおそらく不可欠であることは明らかである。
【０００７】
それ故、本発明は全てのタイプの産業に当てはまる。
【０００８】
包括的な目的は、任意のタイプの交換器内のファウリングを検出及び／又は測定するための解決策を提案することである。
【０００９】
熱交換器内で起こり得るファウリングを検出できるようにすることを目的とする数多くの技法が既知である。
【００１０】
大部分の既存の装置は、壁面熱流束（parietal heat flux）を測定すること、及び壁面熱流束の時間的な値の変動を観測することに基づいており、これらの装置は、多かれ少なかれある程度、測定プローブで生じるファウリングと相関し得る。
【００１１】
例えば、アクティブプローブが開発されたが、アクティブプローブは、電気抵抗及び温度測定値を一緒に用いて、自然に伝わる流れにわたり生じる局所熱交換係数の変化を求める。
【００１２】
特許文献１は、燃焼容器内の熱交換器のファウリングをモニタリングするための方法を特に提案している。
【００１３】
この特許出願において記載される方法によれば、熱交換器の壁管によって形成される回路網（network）の抵抗値が評価される。この目的を果たすために、その回路網は１つ以上の所与の電気信号が与えられる。こうして計算された抵抗値そのものが、それより前の基準時間において同じ回路上で決定された公称抵抗値と比較される。得られた抵抗値は、例えば、閾値と比較され、その閾値以上では、ファウリングが存在すると見なされる。
【００１４】
しかしながら、この特許文献１において提案される解決策は、原子炉が、所与の流量及び所与の温度において、詳細には、基準抵抗値が測定されたときの原子炉の流量及び運転温度において運転しているときにしか使用することができない、という短所がある。
【００１５】
この短所のために、この解決策は、かなりの数の用途にとってあまり適していない。
【先行技術文献】
【特許文献】
【００１６】
【特許文献１】国際公開第０１／９４８７６号
【発明の概要】
【００１７】
本発明の目的は、熱交換器が受ける条件の変化、特に流量及び温度条件の変化とは無関係に実施することができる、熱交換器内のファウリングを検出及び／又は測定するための解決策を提案することである。
【００１８】
さらなる目的は、簡単であり且つ非侵入的である（non-intrusive）、ファウリングを検出及び／又は測定するための解決策を提案することである。
【００１９】
この目的を果たすために、本発明は、熱交換器内のファウリングを検出及び／又は測定するための方法を提案し、本方法では、この交換器の壁上に配置される抵抗器の抵抗値が２つの異なる時点で測定され、これらの２つの時点で測定された測定抵抗値の関数に対応する測定値が求められる。本方法は、抵抗器が、それぞれが所定の持続時間にわたって保持される２つの電力レベルを相次いで受け、第１の電力レベルが第２の電力レベルよりも低く、２つの抵抗値の測定がそれぞれ、これらの２つの電力レベルが加えられている時点で行われることを特徴とする。
【００２０】
詳細には、第１の電力レベルは、第１の電力レベルを加える時間にわたって、ジュール効果によって引き起こされる熱流が交換器表面に影響を及ぼすが、もし存在する場合であってもファウリング層には影響を及ぼさないように選択することができる。
【００２１】
第２の電力レベルは、ジュール効果によって引き起こされる熱流が、交換器と、もしファウリング堆積物が存在する場合には、そのような堆積物との両方に影響を及ぼすように選択することができる。
【００２２】
また、本発明は、熱交換器内のファウリングを検出及び／又は測定するための装置も提案し、本装置は、この交換器の壁上に配置される抵抗器と、上記抵抗器Ｒに一定の電力を供給する手段と、処理手段とを備え、これらの種々の手段が、上記の方法を実施することができることを特徴とする。
【００２３】
最後に、本発明は、農業食品産業又は工業的な熱利用でのファウリングの検出及び／又は測定のための、本方法又は本装置の利用にも関連する。
【００２４】
本発明の他の特徴及び利点は、以下の説明からさらに明らかになるであろう。その説明は、単なる例示であって、限定するものではなく、添付の図面と共に読まれるべきものである。
【図面の簡単な説明】
【００２５】
【図１】実施形態のうちの１つの起こりうる形態に従う、表面抵抗器を備え付けられ且つファウリングが生じている（fouled）熱交換器プレートを示す概略図である。
【図２】本発明の一実施形態に従う、処理の種々のステップを示すブロック図である。
【図３Ａ】検出装置において用いられる表面抵抗器に注入される電力の時間曲線の一例を示す図である。
【図３Ｂ】プレートにファウリングが生じていない場合の対応する抵抗値の時間曲線の図である。
【図３Ｃ】プレートにファウリングが生じている場合の対応する抵抗値の時間曲線の図である。
【図４】提案される方法を実施するために用いることができる表面抵抗器の一例を示す概略図である。
【図５】可能性のある種々の抵抗器材料に関する、温度の関数としての抵抗の変化の種々の傾向を示す図である。
【図６】ファウリング測定装置の一例を示すブロック図である。
【図７】上記装置のための収集及び供給電子回路の一例を示す図である。
【発明を実施するための形態】
【００２６】
図１は、時間が経過してファウリング堆積物Ｅが生じた交換器プレートＰを示している。
【００２７】
この交換器は、任意のタイプのものであってよく、特に、液体／気体、気体／気体若しくは液体／液体の内部対流交換器又は外部対流交換器であってよい。
【００２８】
正温度係数又は負温度係数を有する表面電気抵抗器Ｒが、このプレートＰによって形成される交換壁に沿って配置されている。その交換器は、プレート式交換器でなくてもよいのは明らかであり、チューブ式交換器であってもよく、このとき抵抗器は１つ以上の管に沿って配置される。
【００２９】
図２に示されるように、この表面電気抵抗器は、相次いで２つの電力レベルＰ１及びＰ２が与えられ、これらの２つのレベルの電力が加えられているときの抵抗器Ｒの値Ｒ１及びＲ２が求められる（ステップ１及び２）。
【００３０】
電力Ｐ１は、次のようなレベルで選択される。つまり、選択されるレベルは、（約１０分の数℃の）抵抗器Ｒの有意な加熱を引き起こすのに十分なものではあるが、同時に、ジュール効果によって引き起こされる局所的な熱流が、上記電力Ｐ１が抵抗器Ｒに加えられている時間全体を通じて、交換器のプレートＰ（又は管）にのみ影響を及ぼし、堆積物Ｅには影響を及ぼさないほど十分に低いものであり、このとき、弱い熱は堆積物のところまで拡散できないほどである。実際のところ、この電力レベルでは、対流現象は壁に限定される。
【００３１】
電力Ｐ２は、より大きいものであり、そして、ジュール効果によって引き起こされる局所的な熱流が、プレートＰ（又は管［複数可］）、及び存在する場合には堆積物Ｅの両方に影響を及ぼすように選択される。
【００３２】
図３Ａは、抵抗器Ｒに加えられる電力の時間曲線を示しており、この電力は時刻Ｔ１と時刻Ｔ２との間ではレベルＰ１にあり、その後、時刻Ｔ２以降に、より高いレベルＰ２に変化する。
【００３３】
電力Ｐ１は典型的な場合では、１０分の数ワット（０．１ワットから１ワット、主として０．２ワットと０．８ワットとの間）であるのに対して、電力Ｐ２は典型的な場合では、数ワット（１ワットから１０ワット、例えば、２ワットと６ワットとの間）である。
【００３４】
電力Ｐ１が加えられている時刻Ｔ２と時刻Ｔ１との間の期間は、典型的な場合では数十秒であり、電力Ｐ２は典型的な場合では、数百秒の持続時間にわたって加えられる。
【００３５】
動作条件の安定性を確保すると共に、電力Ｐ１及びＰ２の印加終了時点で安定した熱計画（heat schedule）に達するために、これらの持続時間及びその継起は、同じ単位時間内にとどまるように選択される、そして、この安定した熱計画の達成は、当業者の能力の範囲内の容易なものである。
【００３６】
ジュール効果によって引き起こされる熱流がプレートＰだけに限られた影響を及ぼすように、低い値の電力Ｐ１が加えられることによっては、抵抗器Ｒの値Ｒ１は、堆積物ＥによりプレートＰにファウリングが生じていてもいなくても、動作条件に依存するだけである。一方、より高いＰ２レベルが加えられる間は、この抵抗器Ｒの値Ｒ２は、動作条件、及びプレートＰにファウリングが生じているか否か（図３Ｂ及び図３Ｃ）ということの両方に依存する。
【００３７】
抵抗器Ｒの値Ｒ１及びＲ２が求められれば、これらの２つの値の関数が求められ、典型的な場合には、その関数は一方から他方の減算である（ステップ３）。抵抗器Ｒを通り抜ける熱流は、壁における対流熱交換の影響を受け、それ故、対象とする（under consideration）表面のファウリングのレベル及び動作条件に依存するので、上述のようにして得られた抵抗の関数値は、上記表面のファウリングのレベルに特有の値を形成する。さらに、この関数値は、上記表面を取り囲む条件によって、そして、特に流量変化又は温度変化という条件によって影響を受けないという利点を有している。
【００３８】
その後、上述のようにして計算されたＲ１及びＲ２のこの関数値は、後処理（ステップ４）、例えば、時間の経過と共にモニタリングし、フィルタリングし、そして、閾値と比較するための後処理の対象となる。
【００３９】
理解されているように、上述で提案された方法による測定は非侵入的である（なぜなら、上記測定は、ファウリングのエリアから離れた位置であり、ファウリングの動態［dynamics］を乱さないためである）。上記測定は抵抗器によって占有される表面全体を統合するので全体的である。上記測定は、多様性に富む形状及び寸法に合わせることができる。
【００４０】
高感度の表面素子によって形成される検出素子は、金属電気回路１０であり、金属電気回路１０は、例えば、いくらかの可撓性を与える薄さの誘電体基板１１（例えば、ポリイミド）上に配置され、それ故、大部分の任意のタイプの基板に合わせるのが容易なものである。この検出素子１０は自由な形状からなる。検出素子１０は、数平方ミリメートル又は数平方センチメートルの平坦な感度領域にわたって延在し、この領域の大きさは、サンプルの大きさ、又は試験されるべき領域の大きさに依拠する。
【００４１】
図４は、この検出素子のための取り得る構成の一例を与えている。検出素子は、正方形のパッチ（patch）（一辺の幅Ｌ１＝４０ｍｍ）を含み、パッチの上にコイル形の回路１２が堆積されている。そのパッチは、外部電源に接続されることを目的とする２本のトレース（trace）１３と、トレース１３に対して平行に配置され且つこの検出素子１０への供給電圧も測定できるようにする別の２つのトレース１４とによって電力が供給される。
【００４２】
この抵抗器にとって他の形状も可能であることは明らかであり、その形状は矩形、長円形、円形とすることもでき、さらに複雑な形状からなることもできる。
【００４３】
この抵抗器は、対象とする交換器と熱接触するように、ファウリングが生じる側面のできる限り近くに、位置決めされなければならない。コイル形の回路は、例えば、交換器の表面上に直接堆積させることもできる。
【００４４】
堆積される回路は、ニッケル、プラチナ若しくは銅とすることができるか、又はこれらの金属を含む任意の合金とすることができる。なぜなら、３つの金属は全て、高い温度係数（Ｋ1）をもつという特性を有するからである。良好な熱電係数、すなわち、回路の温度に比例する良好な抵抗変化を有するなら、他のタイプの金属を用いることもできる。
【００４５】
銅、ニッケル合金、純粋なニッケル又はプラチナの場合の、温度の関数としてのこのオーム抵抗変化の曲線が、図５において与えられている。
【００４６】
さらなる変形形態として、抵抗器Ｒは、最終的な基板（交換器壁）上にセリグラフィ（serigraphy）によって直接形成することができる。このシステムは、さらに侵入性が低く、高温で動作できるようになる。
【００４７】
図６に示されるように、加熱表面抵抗器１０によって形成される検出素子１０は、４線ケーブル（ワイヤ１３及び１４）を介して、供給及び収集モジュール１６に電気的に接続される。
【００４８】
この電子モジュール１６は、レベルＰ１においても、レベルＰ２においても、リアルタイムに且つ経時的に一定の電力損（dissipated power）を保持することによって、可変抵抗プローブ１０に電源を供給する。この目的を果たすために、そのモジュールは、ワイヤ１４の端子において電圧Ｕをリアルタイムに変更し、それによって、電圧と強度とを乗算した積が一定のままであるようにする。
【００４９】
この目的を果たすために、例えばＵＳＢケーブルを介して、モジュール１６と直列に接続されるマイクロコンピューター１が用いられ、マイクロコンピューター１は、電圧と強度との積を永続的に解析すると共に、この積を初期設定された点に概ね調整する。設定される電力は、可変であり、非常に小さな値から（１０分の数ワットから数ワットに）変動する。電力Ｐ１が低いことによって、著しい発熱を生じることなく、抵抗器を測定できるようになる（サーミスタ等、ＰＴ１００、ＰＴ１０００の原理）。高い電力Ｐ２は、プローブのオーム抵抗の著しい変化を伴う発熱を引き起こす。
【００５０】
これらの２つの測定から、コンピューターは、堆積物の厚みに相関付けられる、Ｒ２及びＲ１の関数値を推定する。
【００５１】
この目的を果たすために、電子モジュール１６は、Ｕ及びＩの大きさの変化をリアルタイムにコンピューター１７に転送できるようにするデジタル出力を有し、コンピューター１７はオーム抵抗の値（ＵのＩに対する比）を求める。１つの変形形態として、コンピューター１７は、電子モジュール内に組み込まれ、抵抗及びその差の値を直接計算するマイクロコンピューターとすることができる。
【００５２】
その電子モジュールの特性は、例えば、以下の通りである。
−最大電圧２４Ｖｄｃ、最大電流２Ａｄｃ。
−その抵抗が３オームと５０オームとの間で変化するプローブの場合に、０．２Ｗから１０Ｗの範囲で０．０１Ｗずつ調整可能な電力。
−１８ビットの分解能及び１％よりも良好な精度を有する電流／電圧の測定。
−抵抗器の４線接続。
−１％よりも良好な電力調整。
−サンプリング速度１０Ｐｔｓ／ｓ。
【００５３】
コンピューター１７は、デジタルファイル形式でリアルタイムにデータを収集し、このデータに関する後処理を実行して、ファウリング状態を特定する。この処理は、例えば、電気抵抗器Ｒの差の値の変化を解析することを含む場合があり、その値は、堆積物が形成される限り増加する。
【００５４】
コンピューター１７内に組み込まれるデータ収集及び電力調整モジュールの実施形態の一例が図７に示されている。コンピューター１７は、マイクロコンピューターであり、２つのアナログ／デジタルコンバータ１８から、表面抵抗器Ｒにおいて測定された電圧Ｕ及び強度Ｉの値を受信する。注入される電力をレベルＰ１又はレベルＰ２に保持するために、このコンピューター１７は、デジタル／アナログコンバータ及び増幅器Ａを介して、表面抵抗器Ｒに、印加されるべき電圧を送る。
【００５５】
そのコンピューターは、例えば、ＲＳ２３２タイプのリンク２０を介して、外部処理手段（図示せず）にも接続される。オプションで、インターフェース手段２１がローカルに設けられ、例えば、モジュールによって計算された測定値を表示できるようにする。
【００５６】
上記の技法は、数多くの利点を有している。この技法は、コンパクトにすることができ且つ容易に組み込まれる、著しく簡単な電子回路しか必要としない。
【００５７】
また、上記技法は製造コストも低い。
【００５８】
さらに、上記技法は、極めてロバスト性及び信頼性があると同時に、任意の形及び任意の大きさの熱交換器に容易に合わせられる。
【００５９】
さらに、上記技法は、点測定ではなく、交換器内の測定手段を備えた表面全体に対するファウリングを全体的に測定できるようになり、完全に非侵入的でありながら、経時的なモニタリングを提供する。
【図１】
2011524981.tif 000003
【図２】
2011524981.tif 000004
【図３Ａ】
2011524981.tif 000005
【図３Ｂ】
2011524981.tif 000006
【図３Ｃ】
2011524981.tif 000007
【図４】
2011524981.tif 000008
【図５】
2011524981.tif 000009
【図６】
2011524981.tif 000010
【図７】
2011524981.tif 000011
【国際調査報告】
2011524981.tif 000012
2011524981.tif 000013
2011524981.tif 000014
2011524981.tif 000015